(57)【要約】【課題】内容物を充填する際に袋内に封入された空気を簡単に脱気することができる米等を包装するための通気性袋を提供することである。【解決手段】基材層と熱接着性樹脂層を有する積層フイルムからなり周縁熱接着部により形成された四角形状の袋であって、少なくとも１辺の周縁熱接着部が非熱接着部と熱接着部からなる通気性熱接着部とされ、通気性熱接着部の非熱接着部において一方の積層フィルムに内面側に突出する１個又は複数個の通気性熱接着部と直交する方向の、幅が０．５〜３．０ｍｍで高さが０．１〜１．５ｍｍの線状突起が形成された構成の通気性袋である。【選択図】　　　　図１
2004026184.tif 000002
【特許請求の範囲】
【請求項１】
基材層と熱接着性樹脂層を有する積層フイルムからなり周縁熱接着部により形成された四角形状の袋であって、少なくとも１辺の前記周縁熱接着部が非熱接着部と熱接着部からなる通気性熱接着部とされ、前記通気性熱接着部の前記非熱接着部において一方の積層フィルムに内面側に突出する１個又は複数個の前記通気性熱接着部の長手方向と直交する方向に延びる線状突起が形成された構成からなることを特徴とする通気性袋。
【請求項２】
前記非熱接着部の内側において一方の積層フィルムに内面側に突出する複数個の点状突起が形成された構成からなることを特徴とする請求項１記載の通気性袋。
【請求項３】
前記非熱接着部の外側において一方の積層フィルムに内面側に突出する複数個の点状突起が形成された構成からなることを特徴とする請求項１または２記載の通気性袋。
【請求項４】
前記線状突起の幅が０．５〜３．０ｍｍ、前記点状突起の直径が０．５〜５．０ｍｍ、前記線状突起及び前記点状突起の高さが０．１〜１．５ｍｍであることを特徴とする請求項１〜３のいずれかに記載の通気性袋。
【請求項５】
前記線状突起及び前記点状突起が、突出部を有する雄型と、前記突出部に対応した孔を有する雌型を使用したエンボスにより形成されたものであることを特徴とする請求項１〜４のいずれかに記載の通気性袋。
【発明の詳細な説明】
【０００１】
【発明の属する技術分野】
本発明は、内容物を充填する際に内部に封入された空気を簡単に脱気することができる米袋等に適した通気性を有する袋に関する。
【０００２】
【従来の技術】
従来、米袋等として使用する通気性袋としては、４角形状の２枚の熱接着性を有する積層フィルムを重ね合わせて、対向する２辺に熱接着部と非熱接着部からなる通気性熱接着部を形成し、形成された通気性熱接着部の非熱接着部から袋の内部の空気を排出させて脱気させるようにした構成の袋が知られている。しかしながら、この構成の袋の場合、非熱接着部において積層フィルム同士が密着して２枚の積層フィルム間に隙間が形成されにくく内部の空気の脱気性がよくないという欠点がある。また、非熱接着部を大きくすると脱気性はよくなるが内部に収納した米等の内容物が漏れ出すという欠点がある。
【０００３】
上記の欠点を改良した包装用袋としては、例えば、特開２０００−１９０９９２号公報に記載されているような、２枚のシート材を重ね合わせ周縁部同志を接着させて袋を形成し、且つ、各シート材の周縁部の一部を未接着にして空気抜きの小孔を形設した袋において、２枚のシート材の周縁部の未接着部分における接合面の少なくとも一方にエンボス加工による微細凹凸を形成した包装袋が知られている。しかしながら、上記の包装袋では、２枚のシート材の周縁部の未接着部分における接合面の少なくとも一方に形成された凹凸が微細凹凸であるため、２枚のシート材間に形成される隙間が微細な隙間となり、優れた脱気性が得られないという欠点を有している。
【０００４】
【発明が解決しようとする課題】
本発明の目的は、内容物を充填する際に内部に封入された空気を容易に脱気することのできる米等を包装するための通気性袋を提供することである。
【０００５】
【課題を解決するための手段】
基材層と熱接着性樹脂層を有する積層フイルムからなり周縁熱接着部により形成された四角形状の袋であって、少なくとも１辺の周縁熱接着部が非熱接着部と熱接着部からなる通気性熱接着部とされ、通気性熱接着部の非熱接着部において一方の積層フィルムに内面側に突出する１個又は複数個の通気性熱接着部の長手方向と直交する方向に延びる線状突起が形成された構成とすることにより、非熱接着部において積層フィルムに形成された内面側に突出する線状突起により、２枚の積層フィルム間に点状突起の高さに相当する通気性熱接着部と直交する方向のトンネル状の隙間が形成されるので、内容物を充填する際に袋の内部に封入された空気を２枚の積層フィルム間に形成されたトンネル状の隙間を通して容易に脱気することができる。
【０００６】
上記の通気性袋において、非熱接着部の内側において一方の積層フィルムに内面側に突出する複数個の点状突起が形成された構成とすることにより、袋に内容物が充填されて膨らんだ状態においても、通気性熱接着部の内端に沿って表裏２枚の積層フィルムが密着することなく、積層フィルムに形成された複数個の点状突起により隙間が形成されるので優れた脱気性が得られる。
【０００７】
上記の通気性袋において、非熱接着部の外側において一方の積層フィルムに内面側に突出する複数個の点状突起が形成された構成とすることにより、通気性熱接着部の外側において２枚の積層フィルム間に隙間が形成されるのでより優れた脱気性が得られる。
【０００８】
上記の通気性袋において、線状突起の幅が０．５〜３．０ｍｍ、点状突起の直径が０．５〜５．０ｍｍ、線状突起及び点状突起の高さが０．１〜１．５ｍｍである構成とすることにより、線状突起及び点状突起により、２枚の積層フィルム間に線状突起及び点状突起の高さに相当する隙間を確実に形成することができるので優れた脱気性が得られる。
【０００９】
上記の通気性袋において、線状突起及び点状突起が、突出部を有する雄型と、突出部に対応した孔を有する雌型を使用したエンボスにより形成されたものである構成とすることにより、積層フィルムに、保形性が優れるとともに形状の安定したシャープに突出する線状突起及び点状突起を形成することができるので、２枚の積層フィルム間に線状突起及び点状突起の高さに相当する隙間を確実に形成することができる。
【００１０】
【発明の実施の形態】
以下、図面を引用して本発明の実施の形態を説明する。
図１は本発明の第１実施形態を示す平面図、図２は図１におけるＩ−Ｉ拡大断面図、図３は図１におけるＩＩ−ＩＩ拡大断面図、図４は本発明の第２実施形態を示す平面図、図５は本発明の第３実施形態を示す平面図、図６は積層フィルムに突起を形成する方法を示す断面図であって、２は周縁熱接着部、３は通気性熱接着部、３ａは熱接着部、３ｂは非熱接着部、４は線状突起、５は点状突起、６は雄型、６ａは突出部、７は雌型、７ａは孔、１１，１２は積層フィルムをそれぞれ表す。
【００１１】
本発明の通気性袋の第１実施形態は図１〜図３に示すとおりである。平面形状は、図１に示すように、基材層と熱接着性樹脂層を有する４角形状の表裏２枚の積層フィルム１１，１２　の熱接着性樹脂層面を重ね合わせて、対向する長辺からなる２辺に周縁熱接着部２が形成され、対向する短辺の一方に熱接着部３ａと非熱接着部３ｂからなる通気性熱接着部３が形成され、通気性熱接着部３の非熱接着部３ｂにおいて一方の積層フィルム１１に内面側に突出する通気性熱接着部３の長手方向と直交する方向に延びる２個の線状突起４が形成されている構成である。
【００１２】
第１実施形態の線状突起４が形成された箇所の通気性熱接着部３の長手方向と平行方向の断面形状は、図２に示すとおりであり、内面側に突出する２個の線状突起４が形成された積層フィルム１１と線状突起４が形成されていない積層フィルム１２とが重ね合わせられた状態で、熱接着部３ａと非熱接着部３ｂからなる通気性熱接着部３が線状突起４が非熱接着部３ｂの中央に位置するように形成されているものである。
【００１３】
第１実施形態の線状突起４が形成された箇所の通気性熱接着部３の長手方向と直交方向の断面形状は、図３に示すとおりであり、内面側に突出する線状突起４が形成された積層フィルム１１と線状突起４が形成されていない積層フィルム１２とが重ね合わせられた状態であり、線状突起４の長手方向の長さは、通気性熱接着部３の長手方向と直交方向の長さ、即ち通気性熱接着部３の幅と略同一又はやや長くなるようにされているものである。
【００１４】
第１実施形態では、非熱接着部３ｂにおいて、積層フィルム１１に形成された通気性熱接着部３の長手方向と直交方向に延びる２個の線状突起４により、線状突起４に平行方向の線状突起４の高さを有するトンネル状の隙間が形成された状態となっているので、内容物を充填する際に通気性袋の内部に封入された空気は、線状突起４の高さを有する線状突起４に平行方向のトンネル状の隙間を通って容易に外部に排出されるものである。第１実施形態では、非熱接着部３ｂに２個の線状突起４を形成した構成としているが、線状突起を１個としてもよく、その場合においても、線状突起と熱接着部３ａとの間にトンネル状の隙間が形成されるので、第１実施形態と同様に優れた脱気性が得られる。また、通気性熱接着部３の外側に一定巾を有する積層フィルム１１，１２　の延出部が形成されているので、外部からの虫等の侵入や水濡れした際の水の袋の内部への浸透を防止できる。
【００１５】
本発明の通気性袋の第２実施形態の平面図は図４に示すとおりである。第２実施形態は、第１実施形態の通気性袋の非熱接着部３ｂの内側において一方の積層フィルムに内面側に突出する千鳥状に配列された複数個の点状突起５が形成された構成からなるものである。第２実施形態では、第１実施形態と同様に優れた脱気性が得られるとともに、通気性袋に内容物が充填されて膨らんだ状態でも、通気性熱接着部３の内端に沿って２枚の積層フィルム１１，１２　が密着してしまうことがなく、２枚の積層フィルム１１，１２　間に点状突起５の高さに相当する隙間が形成されるので、線状突起４が形成された非熱接着部３ｂを通しての脱気性がより優れたものとなる。
【００１６】
本発明の通気性袋の第３実施形態の平面形状は図５に示すとおりである。第３実施形態は、第１実施形態の通気性袋の非熱接着部３ｂの内側及び外側において一方の積層フィルムに内面側に突出する千鳥状に配列された複数個の点状突起５がそれぞれ形成された構成からなるものである。第３実施形態では、第１実施形態と同様に優れた脱気性が得られるとともに、通気性袋に内容物が充填されて膨らんだ状態でも、通気性熱接着部３の内端に沿って２枚の積層フィルム１１，１２　が密着してしまうことがなく、２枚の積層フィルム１１，１２　間に点状突起５の高さに相当する隙間が形成されるとともに、通気性熱接着部３の外側においても２枚の積層フィルム１１，１２　間に点状突起５の高さに相当する隙間が形成されるので、線状突起４が形成された非熱接着部３ｂを通しての脱気性がより一層優れたものとなる。
【００１７】
積層フィルム１１に形成する線状突起４は、幅が０．５〜３．０ｍｍ、高さが０．１〜１．５ｍｍとされ、線状突起４の長さは通気性熱接着部３の幅と略同寸又はやや長くされている。線状突起４の幅を３．０ｍｍより大きくすると、シャープな形状の保形性のよい突起が得られなくなり、２枚の積層フィルム間に線状突起４の高さに相当する隙間を形成するのが困難となるし、また、線状突起４の幅が０．５ｍｍより小さくなるとシャープな線状突起４が形成できなくなる。積層フィルム１１に形成する点状突起５は、直径が０．５〜５．０ｍｍ、高さが０．１〜１．５ｍｍとされている。点状突起５の直径を５．０ｍｍより大きくすると、シヤープな点状突起５を形成し難くなるとともに点状突起５の保形性が悪くなって、２枚の積層フィルム間に点状突起５の高さに相当する隙間を形成するのが困難となり、点状突起５の直径が０．５ｍｍより小さくなるとシヤープな点状突起５の形成が困難となる。
【００１８】
第１〜第３実施形態において、４角形状の通気性袋の対向する短辺の少なくとも一方を通気性熱接着部３として、その通気性熱接着部３の非熱接着部３ｂに線状突起４を形成した構成、ないしは、その通気性熱接着部３の非熱接着部３ｂの内側及び又は外側に点状突起５を形成した構成としているが、対向する長辺の少なくとも一方を通気性熱接着部３として、その通気性熱接着部３の非熱接着部３ｂに線状突起４を形成した構成、ないしは、その通気性熱接着部３の非熱接着部３ｂの内側及び又は外側に点状突起５を形成した構成としてもよいものである。
【００１９】
積層フィルム１１に線状突起４及び点状突起５を形成するには、図６に示すような、先端が丸い突出部６ａを有する雄型６と、突出部６ａに対応した孔７ａを有する雌型７を使用し、雄型６と雌型７間に積層フィルム１１を載置して加圧しエンボスを行うことにより、積層フィルム１１にシヤープな形状を有する保形性の優れた線状突起４及び点状突起５を形成することができる。雄型６と雌型７を使用したエンボスは常温で行うのが好ましく、そうすることによりエンボスの作業性をよくすることができる。
【００２０】
積層フイルム１１，１２　を構成する基材層としては、強度的に優れた２軸延伸ポリエチレンテレフタレート（ＰＥＴ）、２軸延伸ナイロン（ＯＮ）、２軸延伸ポリプロピレン（ＯＰＰ）、金属蒸着２軸延伸ポリエチレンテレフタレート（ＶＭＰＥＴ）等の２軸延伸フィルム、線状低密度ポリエチレン（ＬＬＤＰＥ）、未延伸ポリプロピレン（ＣＰＰ）等が使用できる。熱接着性樹脂層としては、低密度ポリエチレン（ＬＤＰＥ）、線状低密度ポリエチレン（ＬＬＤＰＥ）、エチレン−酢酸ビニル共重合体（ＥＶＡ）等が使用できる。基材層と熱接着性樹脂層は、ウレタン系接着剤を使用したドライラミネーション（ＤＬ）、ポリエチレン等による押出しラミネーション（ＥＣ）により積層される。本発明の通気性袋は米等を包装するのに使用されるので、強度的に優れた袋であることが必要であり、熱接着性樹脂層を構成する樹脂として線状低密度ポリエチレンを使用するのが好ましい。基材層としてＶＭＰＥＴを使用することにより意匠性の優れた通気性袋とすることができる。
【００２１】
積層フィルムの構成としては、例えば、ＯＮ１５μｍ／ＤＬ／ＬＬＤＰＥ５０〜８０μｍ、ＯＮ１５μｍ／ＥＣ１５〜２５μｍ／ＬＬＤＰＥ３０〜７０μｍ、ＰＥＴ１２μｍ／ＥＣ１５〜２５μｍ／ＬＬＤＰＥ４０〜８０μｍ、ＬＬＤＰＥ３０〜４０μｍ／ＤＬ／ＬＬＤＰＥ４０〜５０μｍ、ＬＬＤＰＥ４０〜６０μｍ／ＥＣ２５〜６０μｍ、ＯＮ１５μｍ／ＤＬ／ＶＭＰＥＴ１２μｍ／ＤＬ／ＬＬＤＰＥ４０〜６０μｍ、ＯＮ１５μｍ／ＤＬ／ＶＭＰＥＴ１２μｍ／ＥＣ１５〜２５μｍ／ＬＬＤＰＥ３０〜６０μｍ、ＰＥＴ１２μｍ／ＤＬ／ＶＭＰＥＴ１２μｍ／ＥＣ１５〜２５μｍ／ＬＬＤＰＥ４０〜６０μｍ等である。
【００２２】
【発明の効果】
基材層と熱接着性樹脂層を有する積層フイルムからなり周縁熱接着部により形成された四角形状の袋であって、少なくとも１辺の前記周縁熱接着部が非熱接着部と熱接着部からなる通気性熱接着部とされ、通気性熱接着部の非熱接着部において一方の積層フィルムに内面側に突出する１個又は複数個の通気性熱接着部の長手方向と直交する方向に延びる、幅が０．５〜３．０ｍｍで高さが０．１〜１．５ｍｍの線状突起が形成された構成とすることにより、非熱接着部において積層フィルムに形成された内面側に突出する線状突起により、２枚の積層フィルム間に線状突起の高さに相当する通気性熱接着部と直交する方向のトンネル状の隙間が形成されるので、内容物を充填する際に袋の内部に封入された空気を２枚の積層フィルム間に形成されたトンネル状の隙間を通して容易に脱気することができる。
【００２３】
上記の通気性袋において、非熱接着部の内側及び又は外側において一方の積層フィルムに内面側に突出する複数個の、直径が０．５〜５．０ｍｍで高さが０．１〜１．５ｍｍの点状突起が形成された構成とすることにより、通気性熱接着部の内端及び外側に２枚の積層フィルム間に点状突起の高さに相当する隙間が形成されるので優れた脱気性が得られる。
【００２４】
上記の通気性袋において、線状突起及び点状突起が、突出部を有する雄型と、突出部に対応した孔を有する雌型を使用したエンボスにより形成されたものである構成とすることにより、積層フィルムに保形性が優れるとともに形状の安定したシャープに突出する線状突起及び点状突起を形成することができるので、２枚の積層フィルム間に線状突起及び点状突起の高さに相当する隙間を確実に形成することができるので、より優れた脱気性が得られる。
【図面の簡単な説明】
【図１】本発明の第１実施形態を示す平面図。
【図２】図１におけるＩ−Ｉ拡大断面図。
【図３】図１におけるＩＩ−ＩＩ拡大断面図。
【図４】本発明の第２実施形態を示す平面図。
【図５】本発明の第３実施形態を示す平面図。
【図６】積層フィルムに突起を形成する方法を示す断面図
【符号の説明】
２　周縁熱接着部
３　通気性熱接着部
３ａ　熱接着部
３ｂ　　非熱接着部
４　線状突起
５　点状突起
６　雄型
６ａ　突出部
７　雌型
７ａ　孔
１１，１２　積層フィルム
【図１】
2004026184.tif 000003
【図２】
2004026184.tif 000004
【図３】
2004026184.tif 000005
【図４】
2004026184.tif 000006
【図５】
2004026184.tif 000007
【図６】
2004026184.tif 000008